(57)【要約】      （修正有）【課題】発信者番号に少なくとも関連付けられた発信者情報を発信者番号とともに、着信者指定の表示装置に通知する。【解決手段】発信者情報管理提供システムは、発信者電話機１１から着信者電話機１５に向けて発呼するたびに、発信者番号に付随する発信者情報を予め登録して保持する発信者情報ＤＢ１２７から、当該受領した発信者番号を基に該発信者情報を検索して受け取る発信者情報検索部１２２、着信者番号に関連付けられた表示装置識別子を予め登録して保持する着信者・表示装置連携情報ＤＢ１２８から、当該受領した着信者番号を基に該表示装置識別子を検索して受け取る表示装置識別子検索部１２５、及び、該受領した発信者番号と検索して得られた発信者情報とを当該表示装置識別子に対応する表示装置に通知する発信者情報通知部１２４を有する発信者情報管理提供装置１２とを備える。【選択図】図２
2011176390.tif 000002
【特許請求の範囲】
【請求項１】
発信者番号を通知可能な発信者電話機から、着信者番号が付与された着信者電話機に向けて発呼するたびに、前記発信者番号に少なくとも関連付けられた発信者情報を、前記発信者番号とともに、前記着信者番号に関連付けられた着信者指定の表示装置に通知する発信者情報管理提供システムであって、
前記発信者電話機から前記着信者電話機に向けて発呼するたびに、前記発信者番号及び前記着信者番号を抽出する発信者番号通知装置と、
前記発信者番号通知装置から前記発信者番号及び前記着信者番号を受領する発信者番号受領部、前記発信者番号に付随する発信者情報を予め登録して保持する発信者情報ＤＢから、当該受領した発信者番号を基に該発信者情報を検索して受け取る発信者情報検索部、前記着信者番号に関連付けられた表示装置識別子を予め登録して保持する着信者・表示装置連携情報ＤＢから、当該受領した着信者番号を基に該表示装置識別子を検索して受け取る表示装置識別子検索部、及び、該受領した発信者番号と検索して得られた発信者情報とを当該表示装置識別子に対応する表示装置に通知する発信者情報通知部を有する発信者情報管理提供装置と、
を備えることを特徴とする発信者情報管理提供システム。
【請求項２】
前記発信者情報管理提供装置は、
前記発信者番号に付随する発信者情報を予め登録するのに用いる発信者情報入力装置からの要求に応じて、発信者番号と、該発信者番号に付随する発信者情報を前記発信者情報へ登録・更新・削除を行う発信者情報管理部と、
前記着信者番号に関連付けられた表示装置識別子を予め登録するのに用いる着信者・表示装置連携情報入力装置からの要求に応じて、前記表示装置識別子と、該表示装置識別子に関連付けるための着信者番号を、前記着信者・表示装置連携情報ＤＢへ登録・更新・削除を行う表示装置識別子管理部と、
を備えることを特徴とする、請求項１に記載の発信者情報管理提供システム。
【請求項３】
前記発信者情報入力装置は、前記発信者番号に付随する発信者情報を予め登録するのに着信者によって操作される装置とすることを特徴とする、請求項２に記載の発信者情報管理提供システム。
【請求項４】
前記発信者情報入力装置は、前記発信者番号に付随する発信者情報を予め登録するのに発信者によって操作される装置とすることを特徴とする、請求項２に記載の発信者情報管理提供システム。
【請求項５】
前記発信者情報検索部は、当該受領した発信者番号及び着信者番号を検索キーとして前記発信者情報ＤＢから検索結果となる発信者情報を受け取るように構成されていることを特徴とする、請求項１〜４に記載の発信者情報管理提供システム。
【請求項６】
前記発信者情報入力装置は、前記発信者番号に付随する発信者情報を予め登録するのに発信者及び着信者以外の第三者によって操作される装置とすることを特徴とする、請求項２に記載の発信者情報管理提供システム。
【請求項７】
発信者番号を通知可能な発信者電話機から、着信者番号が付与された着信者電話機に向けて発呼するたびに、前記発信者番号に少なくとも関連付けられた発信者情報を、前記発信者番号とともに、前記着信者番号に関連付けられた着信者指定の表示装置に通知する発信者情報管理提供装置であって、
前記発信者電話機から前記着信者電話機に向けて発呼するたびに、前記発信者番号及び前記着信者番号を抽出する発信者番号通知装置から、前記発信者番号及び前記着信者番号を受領する発信者番号受領部と、
前記発信者番号に付随する発信者情報を予め登録して保持する発信者情報ＤＢから、当該受領した発信者番号を基に該発信者情報を検索して受け取る発信者情報検索部と、
前記着信者番号に関連付けられた表示装置識別子を予め登録して保持する着信者・表示装置連携情報ＤＢから、当該受領した着信者番号を基に該表示装置識別子を検索して受け取る表示装置識別子検索部と、
該受領した発信者番号と検索して得られた発信者情報とを当該表示装置識別子に対応する表示装置に通知する発信者情報通知部と、
を備えることを特徴とする発信者情報管理提供装置。
【請求項８】
前記発信者情報管理提供装置は、
前記発信者番号に付随する発信者情報を予め登録するのに用いる発信者情報入力装置からの要求に応じて、発信者番号と、該発信者番号に付随する発信者情報を前記発信者情報へ登録・更新・削除を行う発信者情報管理部と、
前記着信者番号に関連付けられた表示装置識別子を予め登録するのに用いる着信者・表示装置連携情報入力装置からの要求に応じて、前記表示装置識別子と、該表示装置識別子に関連付けるための着信者番号を、前記着信者・表示装置連携情報ＤＢへ登録・更新・削除を行う表示装置識別子管理部と、
を備えることを特徴とする、請求項７に記載の発信者情報管理提供装置。
【請求項９】
発信者番号を通知可能な発信者電話機から、着信者番号が付与された着信者電話機に向けて発呼するたびに、前記発信者番号に少なくとも関連付けられた発信者情報を、前記発信者番号とともに、前記着信者番号に関連付けられた着信者指定の表示装置に通知する発信者情報管理提供装置の発信者情報管理提供方法であって、
前記発信者情報管理提供装置の処理手順は、
前記発信者電話機から前記着信者電話機に向けて発呼するたびに、前記発信者番号及び前記着信者番号を抽出する発信者番号通知装置から、前記発信者番号及び前記着信者番号を受領するステップと、
前記発信者番号に付随する発信者情報を予め登録して保持する発信者情報ＤＢから、当該受領した発信者番号を基に該発信者情報を検索して受け取るステップと、
前記着信者番号に関連付けられた表示装置識別子を予め登録して保持する着信者・表示装置連携情報ＤＢから、当該受領した着信者番号を基に該表示装置識別子を検索して受け取るステップと、
該受領した発信者番号と検索して得られた発信者情報とを当該表示装置識別子に対応する表示装置に通知するステップと、
を含むことを特徴とする発信者情報管理提供方法。
【請求項１０】
発信者番号を通知可能な発信者電話機から、着信者番号が付与された着信者電話機に向けて発呼するたびに、前記発信者番号に少なくとも関連付けられた発信者情報を、前記発信者番号とともに、前記着信者番号に関連付けられた着信者指定の表示装置に通知する発信者情報管理提供装置として構成するコンピュータに、
前記発信者電話機から前記着信者電話機に向けて発呼するたびに、前記発信者番号及び前記着信者番号を抽出する発信者番号通知装置から、前記発信者番号及び前記着信者番号を受領するステップと、
前記発信者番号に付随する発信者情報を予め登録して保持する発信者情報ＤＢから、当該受領した発信者番号を基に該発信者情報を検索して受け取るステップと、
前記着信者番号に関連付けられた表示装置識別子を予め登録して保持する着信者・表示装置連携情報ＤＢから、当該受領した着信者番号を基に該表示装置識別子を検索して受け取るステップと、
該受領した発信者番号と検索して得られた発信者情報とを当該表示装置識別子に対応する表示装置に通知するステップと、
を実行させるためのプログラム。
【発明の詳細な説明】
【技術分野】
【０００１】
本発明は、電話による通信において、発信者に関する情報（以下、「発信者情報」と称する）を蓄積管理し、発信者と着信者の関係に応じて発信者情報を表示する発信者情報管理提供システム、発信者情報管理提供装置、発信者情報管理提供方法、及びプログラムに関する。
【背景技術】
【０００２】
従来、固定電話における通信サービスでは、発信者電話番号（以下、単に「発信者番号」と称する）を電話機に表示するサービスとして「ナンバー・ディスプレイ」が知られている（例えば、非特許文献１参照）。「ナンバー・ディスプレイ」では、このサービスに加入する加入者は、サービスに対応する電話機を使用することで発信者番号を知ることができる。また、「ナンバー・ディスプレイ」では、予め電話機の電話帳機能で電話番号と名前を入力しておくことで、発信者番号に加えて発信者の名前も知ることができる。
【０００３】
更に、「ナンバー・ディスプレイ」のオプションのサービスとして、電話帳に記載の情報を基にした契約者の氏名を表示（１０文字まで表示可）する「ネーム・ディスプレイ」が知られている（例えば、非特許文献２参照）。このサービスでは、予め電話機の電話帳機能で電話番号と名前を入力しておかなくとも、発信者の名前を表示することができる。
【０００４】
固定電話のサービスとして、電話があったことを予め指定したパーソナルコンピュータや携帯電話のメールアドレスに後刻通知する「着信お知らせメール」のサービスが知られている（例えば、非特許文献３参照）。このサービスでは、メールに発信者の電話番号が含まれている。
【先行技術文献】
【非特許文献】
【０００５】
【非特許文献１】東日本電信電話株式会社、“ナンバー・ディスプレイ”、[online]、［２０１０年１月５日検索］、インターネット〈URL:http://web116.jp/shop/benri/number/num_00.html〉
【非特許文献２】東日本電信電話株式会社、“ネーム・ディスプレイ”、[online]、［２０１０年１月５日検索］、インターネット〈URL:http://web116.jp/shop/benri/name/name_00.html〉
【非特許文献３】東日本電信電話株式会社、“着信お知らせメール”、[online]、［２００９年１２月２８日検索］、インターネット〈URL:http://flets.com/hikaridenwa/service/mail.html〉
【発明の概要】
【発明が解決しようとする課題】
【０００６】
従来の技術は、着信者電話番号（以下、単に「着信者番号」と称する）の電話機で、発信者の電話番号を表示するか、又は通知された発信者の電話番号から名称等に変換する技術である。従って、発信者情報として表示できるのは電話番号と発信者情報である電話帳に記載の契約者の氏名のみとなり、発信者に関する情報を複数項目表示させることや多くの文字数表示することはできず、表示する発信者の情報を着信者ごとに変えることもできなかった。
【０００７】
また、発信者番号を予め指定したパーソナルコンピュータや携帯電話のメールに着信があったことを後刻通知することが可能なサービスは存在するものの、発信時に発信者番号を表示できるのは着信した電話機のみであり、その他の表示装置に直接的に表示することはできなかった。
【０００８】
本発明の目的は、上記課題を鑑みて為されたものであり、発信者情報の表示を着信時の電話機に限定することなく、着信者が指定する表示装置に発信者情報の表示を可能とするとともに、着信者ごとに発信者情報の内容を変更可能とする、発信者情報管理提供システム、発信者情報管理提供装置、発信者情報管理提供方法、及びプログラムを提供することにある。
【課題を解決するための手段】
【０００９】
本発明は、発信者情報の通知を用いた電話による通話接続を行う場合に、着信者にとってより理解しやすい発信者情報を提供可能にする。例えば、本発明では、発信者番号と着信者番号の関係や、発信者の通話用件（通販勧誘）や、発信者の第三者による評価（悪意呼の可能性大等）を網側（例えば、ＷＡＮ）の発信者情報管理提供装置で管理して登録する手段を設ける。
【００１０】
即ち、本発明の発信者情報管理提供システムは、発信者番号を通知可能な発信者電話機から、着信者番号が付与された着信者電話機に向けて発呼するたびに、前記発信者番号に少なくとも関連付けられた発信者情報を、前記発信者番号とともに、前記着信者番号に関連付けられた着信者指定の表示装置に通知する発信者情報管理提供システムであって、前記発信者電話機から前記着信者電話機に向けて発呼するたびに、前記発信者番号及び前記着信者番号を抽出する発信者番号通知装置と、前記発信者番号通知装置から前記発信者番号及び前記着信者番号を受領する発信者番号受領部、前記発信者番号に付随する発信者情報を予め登録して保持する発信者情報ＤＢから、当該受領した発信者番号を基に該発信者情報を検索して受け取る発信者情報検索部、前記着信者番号に関連付けられた表示装置識別子を予め登録して保持する着信者・表示装置連携情報ＤＢから、当該受領した着信者番号を基に該表示装置識別子を検索して受け取る表示装置識別子検索部、及び、該受領した発信者番号と検索して得られた発信者情報とを当該表示装置識別子に対応する表示装置に通知する発信者情報通知部を有する発信者情報管理提供装置と、を備えることを特徴とする。
【００１１】
また、本発明の発信者情報管理提供システムにおいて、前記発信者情報管理提供装置は、前記発信者番号に付随する発信者情報を予め登録するのに用いる発信者情報入力装置からの要求に応じて、発信者番号と、該発信者番号に付随する発信者情報を前記発信者情報へ登録・更新・削除を行う発信者情報管理部と、前記着信者番号に関連付けられた表示装置識別子を予め登録するのに用いる着信者・表示装置連携情報入力装置からの要求に応じて、前記表示装置識別子と、該表示装置識別子に関連付けるための着信者番号を、前記着信者・表示装置連携情報ＤＢへ登録・更新・削除を行う表示装置識別子管理部と、を備えることを特徴とする。
【００１２】
また、本発明の発信者情報管理提供システムにおいて、前記発信者情報入力装置は、前記発信者番号に付随する発信者情報を予め登録するのに着信者によって操作される装置とすることを特徴とする。
【００１３】
また、本発明の発信者情報管理提供システムにおいて、前記発信者情報入力装置は、前記発信者番号に付随する発信者情報を予め登録するのに発信者によって操作される装置とすることを特徴とする。
【００１４】
また、本発明の発信者情報管理提供システムにおいて、前記発信者情報検索部は、当該受領した発信者番号及び着信者番号を検索キーとして前記発信者情報ＤＢから検索結果となる発信者情報を受け取るように構成されていることを特徴とする。
【００１５】
また、本発明の発信者情報管理提供システムにおいて、前記発信者情報入力装置は、前記発信者番号に付随する発信者情報を予め登録するのに発信者及び着信者以外の第三者によって操作される装置とすることを特徴とする。
【００１６】
更に、本発明の発信者情報管理提供装置は、発信者番号を通知可能な発信者電話機から、着信者番号が付与された着信者電話機に向けて発呼するたびに、前記発信者番号に少なくとも関連付けられた発信者情報を、前記発信者番号とともに、前記着信者番号に関連付けられた着信者指定の表示装置に通知する発信者情報管理提供装置であって、前記発信者電話機から前記着信者電話機に向けて発呼するたびに、前記発信者番号及び前記着信者番号を抽出する発信者番号通知装置から、前記発信者番号及び前記着信者番号を受領する発信者番号受領部と、前記発信者番号に付随する発信者情報を予め登録して保持する発信者情報ＤＢから、当該受領した発信者番号を基に該発信者情報を検索して受け取る発信者情報検索部と、前記着信者番号に関連付けられた表示装置識別子を予め登録して保持する着信者・表示装置連携情報ＤＢから、当該受領した着信者番号を基に該表示装置識別子を検索して受け取る表示装置識別子検索部と、該受領した発信者番号と検索して得られた発信者情報とを当該表示装置識別子に対応する表示装置に通知する発信者情報通知部と、を備えることを特徴とする。
【００１７】
また、本発明の発信者情報管理提供装置において、前記発信者番号に付随する発信者情報を予め登録するのに用いる発信者情報入力装置からの要求に応じて、発信者番号と、該発信者番号に付随する発信者情報を前記発信者情報へ登録・更新・削除を行う発信者情報管理部と、前記着信者番号に関連付けられた表示装置識別子を予め登録するのに用いる着信者・表示装置連携情報入力装置からの要求に応じて、前記表示装置識別子と、該表示装置識別子に関連付けるための着信者番号を、前記着信者・表示装置連携情報ＤＢへ登録・更新・削除を行う表示装置識別子管理部と、を備えることを特徴とする。
【００１８】
更に、本発明の発信者情報管理提供方法は、発信者番号を通知可能な発信者電話機から、着信者番号が付与された着信者電話機に向けて発呼するたびに、前記発信者番号に少なくとも関連付けられた発信者情報を、前記発信者番号とともに、前記着信者番号に関連付けられた着信者指定の表示装置に通知する発信者情報管理提供装置の発信者情報管理提供方法であって、前記発信者情報管理提供装置の処理手順は、前記発信者電話機から前記着信者電話機に向けて発呼するたびに、前記発信者番号及び前記着信者番号を抽出する発信者番号通知装置から、前記発信者番号及び前記着信者番号を受領するステップと、前記発信者番号に付随する発信者情報を予め登録して保持する発信者情報ＤＢから、当該受領した発信者番号を基に該発信者情報を検索して受け取るステップと、前記着信者番号に関連付けられた表示装置識別子を予め登録して保持する着信者・表示装置連携情報ＤＢから、当該受領した着信者番号を基に該表示装置識別子を検索して受け取るステップと、該受領した発信者番号と検索して得られた発信者情報とを当該表示装置識別子に対応する表示装置に通知するステップと、を含むことを特徴とする。
【００１９】
更に、本発明のプログラムは、発信者番号を通知可能な発信者電話機から、着信者番号が付与された着信者電話機に向けて発呼するたびに、前記発信者番号に少なくとも関連付けられた発信者情報を、前記発信者番号とともに、前記着信者番号に関連付けられた着信者指定の表示装置に通知する発信者情報管理提供装置として構成するコンピュータに、前記発信者電話機から前記着信者電話機に向けて発呼するたびに、前記発信者番号及び前記着信者番号を抽出する発信者番号通知装置から、前記発信者番号及び前記着信者番号を受領するステップと、前記発信者番号に付随する発信者情報を予め登録して保持する発信者情報ＤＢから、当該受領した発信者番号を基に該発信者情報を検索して受け取るステップと、前記着信者番号に関連付けられた表示装置識別子を予め登録して保持する着信者・表示装置連携情報ＤＢから、当該受領した着信者番号を基に該表示装置識別子を検索して受け取るステップと、該受領した発信者番号と検索して得られた発信者情報とを当該表示装置識別子に対応する表示装置に通知するステップと、を実行させるためのプログラムである。
【発明の効果】
【００２０】
本発明によれば、着信時の電話機又は着信者が指定する表示装置に対して、表示する発信者情報を着信者ごとに変えることが可能となり、電話番号だけではなく用件や第三者が登録した評価情報を含む発信者情報も表示させることで、着信した電話に応答しようとする人が、応答前に発信者に関する詳細な情報を確認することが可能になる。これにより、着信者は、通販勧誘や悪意の呼に対して通話することなく、着信時の電話機に限らず指定する表示装置で、任意の箇所で安心して着信時の発信者情報を把握することができるようになる。
【図面の簡単な説明】
【００２１】
【図１】本発明に係る発信者情報管理提供システムの典型例を示す図である。
【図２】本発明による実施例１の発信者情報管理提供システムの概略図である。
【図３】本発明による実施例１の発信者情報管理提供システムにおける発信者情報管理提供装置の動作フローを示す図である。
【図４】本発明による実施例２の発信者情報管理提供システムの概略図である。
【図５】本発明による実施例２の発信者情報管理提供システムにおける具体的な適用例を示す図である。
【図６】本発明による実施例３の発信者情報管理提供システムの概略図である。
【図７】本発明による実施例３の発信者情報管理提供システムにおける具体的な適用例を示す図である。
【図８】本発明による実施例４の発信者情報管理提供システムの概略図である。
【図９】本発明による実施例４の発信者情報管理提供システムにおける具体的な適用例を示す図である。
【発明を実施するための形態】
【００２２】
以下、本発明による各実施例の発信者情報管理提供システム１を説明する。本発明に係る発信者情報管理装置、発信者情報管理方法、及びプログラムは、以下の説明から明らかになる。
【００２３】
図１は、本発明に係る発信者情報管理提供システム１の典型例を示す図である。本発明の発信者情報管理提供システム１は、発信者番号を通知可能な発信者電話機１１から、着信者番号が付与された着信者電話機１５に向けて発呼するたびに、この発信者番号に関連付けられた発信者情報を、発信者番号とともに、当該着信者番号に関連付けられた着信者指定の表示装置に通知する発信者情報管理提供システムであり、着信時の着信者電話機１５又は着信者Ｒが指定する表示装置（発信者情報表示装置）１４に対して、表示する発信者情報を着信者Ｒごとに変えることを可能とし、電話番号だけではなく用件や第三者が登録した評価情報を含む発信者情報も表示させることで、着信した電話に応答しようとする人が、応答前に発信者Ｔに関する詳細な情報を確認することを可能とし、或いは又、着信した着信者電話機１５以外でも、指定した電話機又は表示装置（発信者情報表示装置）１４に発信者情報を提供可能にするシステムである。
【００２４】
特に、本発明に係る発信者情報管理提供システム１は、発信者電話機１１から着信者電話機１５に向けて発呼するたびに、発信者番号及び着信者番号を抽出する発信者番号通知装置１３と、発信者番号通知装置１３から発信者番号及び着信者番号を受領して、発信者番号に付随する発信者情報を予め登録して保持するデータベース（後述する発信者情報ＤＢ１２７）から、当該受領した発信者番号を基に該発信者情報を検索して受け取るとともに、着信者番号に関連付けられた表示装置識別子を予め登録して保持するデータベース（後述する着信者・表示装置連携情報ＤＢ１２８）から、当該受領した着信者番号を基に該表示装置識別子を検索して受け取り、該受領した発信者番号と検索して得られた発信者情報とを当該表示装置識別子に対応する発信者情報表示装置１４に通知する発信者情報管理提供装置１２とを備える。
【００２５】
例えば、図１に示す本発明に係る発信者情報管理提供システム１の典型例では、発信者Ｔが発信者電話機１１により電話網を介して着信者電話機１５に向けて発呼するたびに、着信者電話機１５に向けられた呼を特定することが可能な電話網（例えば、終端側電話網）上に設けられた発信者番号通知装置１３によって、発信者番号及び着信者番号を抽出し、抽出した発信者番号及び着信者番号をネットワーク経由で発信者情報管理提供装置１２に通知する。
【００２６】
着信者又は発信者は、着信時の着信者電話機１５又は着信者Ｒが指定する表示装置（発信者情報表示装置）１４に表示させる発信者情報と発信者番号を関連付けて、発信者情報管理提供装置１２に対して通信して、発信者情報管理提供装置１２内の発信者情報ＤＢ１２７に登録する一方で、着信者は、着信時の着信者電話機１５又は着信者Ｒが指定する表示装置（発信者情報表示装置）１４と固有の識別子を関連付けて、発信者情報管理提供装置１２に対して通信して、発信者情報管理提供装置１２内の着信者・表示装置連携情報ＤＢ１２８に登録しておく。
【００２７】
発信者情報管理提供装置１２は、発信者情報と着信者の電話番号とを結びつけて管理することにより、発信者番号通知装置１３によって通知された発信者番号及び着信者番号から、着信時の着信者電話機１５又は着信者Ｒが指定する表示装置（発信者情報表示装置）１４に表示させることができる。
【００２８】
以下、本発明に係る発信者情報管理提供システム１について、幾つかの実施例を説明する。まず、本発明による実施例１の発信者情報管理提供システムについて説明する。
【実施例１】
【００２９】
図２は、本発明による実施例１の発信者情報管理提供システム１の概略図である。実施例１の発信者情報管理提供システム１は、発信者電話機１１と、発信者情報管理提供装置１２と、発信者番号通知装置１３と、発信者情報入力装置１４−１と、発信者情報表示装置１４−２と、着信者・表示装置連携情報入力装置１４−３と、着信者電話機１５とを備える。
【００３０】
発信者電話機１１は、発信者番号としての電話番号（Ａ）が付与され、発信者番号を着信者電話機１５に通知できる電話機である。例えば、発信者電話機１１は、固定電話、携帯電話、ＩＰ電話であってもよい。発信者電話機１１は、電話網に接続している。
【００３１】
発信者情報管理提供装置１２は、本発明の基本を構成する装置である。発信者情報管理提供装置１２は、発信者情報管理部１２１と、発信者情報検索部１２２と、発信者番号受領部１２３と、発信者情報通知部１２４と、表示装置識別子検索部１２５と、表示装置識別子管理部１２６と、発信者情報ＤＢ１２７と、着信者・表示装置連携情報ＤＢ１２８とを備える。尚、発信者情報管理提供装置１２は、発信者情報入力装置１４−１及び着信者・表示装置連携情報装置１４−３の各々に対して通信可能なインターフェース部（図示せず）と、着信者・表示装置連携情報装置１４−２に対して通信可能なインターフェース部（図示せず）と、電話網にある発信者番号通知装置１３に対して通信可能なインターフェース部（図示せず）とを備えている。
【００３２】
発信者情報入力装置１４−１は、発信者情報管理提供装置１２と通信して、発信者情報管理部１２１を経由して発信者情報ＤＢ１２７に任意の電話番号（Ｘ）と、電話番号（Ｘ）が発信者番号となる際の発信者情報を事前登録するために入力するための装置であり、着信者によって操作される。発信者情報入力装置１４−１は、インターネットに接続されたパーソナルコンピュータ、携帯電話、ＰＤＡ、固定電話（音声による登録）であってもよい。
【００３３】
着信者・表示装置連携情報入力装置１４−３は、発信者情報管理提供装置１２と通信して、着信者・表示装置連携情報ＤＢ１２８に対し、表示装置識別子管理部１２６を経由して着信者の電話番号（Ｂ）と表示先として指定する発信者情報表示装置１４−２の表示装置識別子（ｂ）を入力するための機能を有する。着信者・表示装置連携情報入力装置１４−３の例としては、インターネットに接続されたパーソナルコンピュータ、携帯電話がある。
【００３４】
表示装置識別子（ｂ）に対応する発信者情報表示装置１４−２は、発信者情報表示部１４１を備え、発信者情報管理提供装置１２からの通信に応じて、発信者情報通知部１２４から発信者番号（Ａ）と発信者情報を受け取り、発信者情報表示部１４１に発信者番号（Ａ）と発信者情報を表示する。発信者情報表示装置１４−２の例としては、表示機能を有する携帯電話、パーソナルコンピュータ、ネットワークに接続されたテレビ、デジタルフォトフレームであってもよい。表示装置識別子（ｂ）は、表示する機器ごとに決められる識別子であり、例えば、携帯電話番号、メールアドレス、ＩＰアドレス、ＭＡＣアドレス、ＷｅｂサイトやネットワークサービスのユーザＩＤなどがある。
【００３５】
発信者情報入力装置１４−１、発信者情報表示装置１４−２、及び着信者・表示装置連携情報入力装置１４−３は、例えば、図１に示す発信者情報表示装置１４のような、発信者情報管理提供装置１２と通信可能な単一の装置とすることができるが、それぞれ別個の装置としてもよい。また、発信者情報表示装置１４は、着信者電話機１５の一部を構成するものでもよい。
【００３６】
発信者情報管理部１２１は、発信者情報入力装置１４−１からの要求に応じて、発信者番号（任意のＸ）と、この発信者番号（Ｘ）に付随する発信者情報を発信者情報ＤＢ１２７へ登録・更新・削除を行う機能を有する。ここで発信者情報とは、発信者番号に付随する任意の文字列である。
【００３７】
着信者電話機１５は、電話番号（Ｂ）が付与され、電話網を経由して発信者電話機１１からの発信を受けることができる。着信者電話機１５は、固定電話、携帯電話、ＩＰ電話であってもよい。
【００３８】
電話網は、発信者電話機１１と着信者電話機１５との間で音声通話を行うための電話網である。電話網は、固定電話網、携帯電話網、ＩＰ電話網、又はこれらの組み合わせによって構成される。電話網には、発信者番号通知装置１３が設けられている。
【００３９】
発信者番号通知装置１３は、発信者電話機１１から着信者電話機１５への発着信にあたり発信者番号（Ａ）と着信者の電話番号（Ｂ）を抽出し、発信者情報管理提供装置１２と通信して、発信者番号（Ａ）と着信者の電話番号（Ｂ）を発信者番号受領部１２３へ通知する装置である。発信者番号通知装置１３の例としては、電話網及びインターネットに接続されたパーソナルコンピュータ及び無線端末がある。
【００４０】
表示装置識別子管理部１２６は、着信者・表示装置連携情報入力装置１４−３からの要求に応じて、発信者情報表示装置１４−２の表示装置識別子（ｂ）と、表示装置識別子（ｂ）に関連付けるための着信者番号（Ｂ）を、着信者・表示装置連携情報ＤＢ１２８へ登録・更新・削除を行う機能を有する。
【００４１】
発信者情報ＤＢ１２７は、複数の電話番号と各電話番号に付随する発信者情報を保管するデータベースである。発信者情報ＤＢ１２７は、発信者情報管理部１２１から、電話番号とこの発信者情報を受け取り保管する。また、発信者情報ＤＢ１２７は、発信者情報検索部１２２からの電話番号（本例では、発信者番号（Ａ））を検索キーとした検索要求に対し、対応する発信者情報を返す機能を有する。
【００４２】
着信者・表示装置連携情報ＤＢ１２８は、表示装置識別子管理部１２６を経由して、着信者・表示装置連携情報入力装置１４−３からの着信者番号（Ｂ）と発信者情報表示先となる発信者情報表示装置１４−２の表示装置識別子（ｂ）を受け取り格納する。また、着信者・表示装置連携情報ＤＢ１２８は、表示装置識別子検索部１２５からの着信者番号（Ｂ）を検索キーとした検索要求に対し、対応する発信者情報表示装置の表示装置識別子（ｂ）を返す機能を有する。
【００４３】
発信者情報検索部１２２は、本実施例では、発信者番号受領部１２３から受け取った発信者番号（Ａ）を検索キーとして、発信者情報ＤＢ１２７から検索結果となる発信者情報を受け取り、検索した発信者情報と発信者番号（Ａ）を発信者情報通知部１２４に通知する機能を有する。
【００４４】
発信者番号受領部１２３は、発信者番号通知装置１３から、発信者番号（Ａ）及び着信先の番号となる着信者番号（Ｂ）を受け取り、発信者番号（Ａ）については発信者情報検索部１２２に送出し、着信者番号（Ｂ）については、表示装置識別子検索部１２５に送出する機能を有する。
【００４５】
表示装置識別子検索部１２５は、着信者・表示装置連携情報ＤＢ１２８へ検索キーとなる着信者番号（Ｂ）を渡し、検索結果の発信者情報表示装置１４−２の表示装置識別子（ｂ）を着信者・表示装置連携情報ＤＢ１２８から受け取り、発信者情報表示装置の表示装置識別子（ｂ）を発信者情報通知部１２４に通知する機能を有する。
【００４６】
発信者情報通知部１２４は、発信者情報検索部１２２から発信者番号（Ａ）と発信者情報を受け取るとともに、表示装置識別子検索部１２５から発信者情報表示装置１４−２の表示装置識別子（ｂ）を受け取り、表示装置識別子（ｂ）に対応する発信者情報表示装置１４−２へ発信者番号（Ａ）と発信者情報を通知する機能を有する。
【００４７】
図３に、本発明による実施例１の発信者情報管理提供システム１における発信者情報管理提供装置１２の動作フローを示す。
【００４８】
ステップＳ１にて、発信者情報管理提供装置１２は、発信者情報管理部１２１によって、発信者番号と、付随する発信者情報を関連付けて発信者情報ＤＢ１２７に登録する。
【００４９】
ステップＳ２にて、発信者情報管理提供装置１２は、表示装置識別子管理部１２６によって、発信者情報を表示するための表示装置を識別可能な表示装置識別子（ｂ）を着信者番号に関連付けて、着信者・表示装置連携情報ＤＢ１２８に登録する。
【００５０】
ステップＳ３にて、発信者電話機１１から着信者電話機１５に向けて通話された場合に、発信者情報管理提供装置１２は、発信者番号受領部１２３によって、発信者番号及び着信者番号を取得する通信ライン（電話網）上に設けられた発信者番号通知装置１３から発信者番号及び着信者番号を受領する。
【００５１】
ステップＳ４にて、発信者情報管理提供装置１２は、受領した発信者番号及び着信者番号を基に、それぞれ発信者情報ＤＢ１２７及び着信者・表示装置連携情報ＤＢ１２８内の発信者情報及び表示装置識別子（ｂ）を検索し、表示装置識別子（ｂ）に対応する発信者情報表示装置１４−２に向けて、発信者番号（Ａ）と発信者情報を通知する。
【００５２】
これにより、本実施例の発信者情報管理提供システム１によれば、着信者電話機１５又は着信者が指定する発信者情報表示装置１４−２に対して、表示する発信者情報を着信者ごとに変えることが可能となり、電話番号だけではなく事前に登録された評価情報を含む発信者情報も表示させることで、着信した電話に応答しようとする人が、応答前に発信者に関する詳細な情報を確認することが可能になる。これにより、着信者は、通販勧誘や悪意の呼に対して通話することなく、着信時の着信者電話機１５に限らず指定する発信者情報表示装置１４−２で、任意の箇所で安心して着信時の発信者情報を把握することができるようになる。
【００５３】
次に、本発明による実施例２の発信者情報管理提供システム１について説明する。
【実施例２】
【００５４】
実施例２の発信者情報管理提供システム１は、実施例１を用いて、発信者となる者が発信者情報ＤＢに構築する情報を入力することを可能とした例である。図４に、本発明による実施例２の発信者情報管理提供システム１を示す。図２と同様な構成要素には同一の参照番号を付して説明する。実施例２の発信者情報管理提供システム１は、着信者によって操作する発信者情報入力装置１４−１の代わりに、発信者側で操作する発信者情報入力装置１１−２を備える点で相違する。発信者情報入力装置１１−２は、発信者電話機１１−１の一部を構成することができるが、個別の装置として説明する。尚、実施例２の発信者電話機１１−１及び発信者情報入力装置１１−２の各々は、それぞれ実施例１における発信者電話機１１及び発信者情報入力装置１４−１と同様の機能を有し、実施例１に対して同一の参照番号を付している各構成要素も実施例２では同様の機能を有する。発信者情報入力装置１１−２の例としては、パーソナルコンピュータがある。
【００５５】
実施例２の発信者情報管理提供システム１では、発信者は、発信者情報入力装置１１−２を使用し、自らの発信者番号（Ａ）と着信者側にある表示装置（本例では、発信者情報表示装置１４−２）に表示させたい情報を、発信者情報管理部１２１を経由して発信者情報ＤＢ１２７へ登録することができる。
【００５６】
従って、発信者が発信者電話機１１−１から着信者電話機１５に向けて発信者番号（Ａ）にて発信すると、着信者によって予め登録された発信者情報表示装置１４−２へ発信者情報を表示させることができる。
【００５７】
図５は、実施例２の発信者情報管理提供システム１における具体的な適用例を示す図である。発信時に予め発信者が登録した発信者情報を発信者情報表示装置１４−２の発信者情報表示部１４１に表示させることができる。
【００５８】
実施例２における発信者情報の例としては、名前、組織名称、所在地、通話の目的、宣伝広告の文言等がある。
【００５９】
本実施例では、一例として、企業が宣伝や顧客に対する連絡のために電話をかける際に着信者に対し、自己の素性や用件を示すために利用することが可能となる。
【００６０】
次に、本発明による実施例３の発信者情報管理提供システム１について説明する。
【実施例３】
【００６１】
実施例３の発信者情報管理提供システム１は、実施例１を用いて、発信者となる者の情報を着信者が発信者情報ＤＢに構築する情報を入力することを可能とした例である。図６に、本発明による実施例３の発信者情報管理提供システム１を示す。図２と同様な構成要素には同一の参照番号を付して説明する。実施例３の発信者情報管理提供システム１は、発信者情報検索部１２２が発信者番号（Ａ）及び着信者番号（Ｂ）を検索キーとして発信者情報ＤＢ１２７から検索結果となる発信者情報を受け取る点で相違する。実施例１に対して同一の参照番号を付している各構成要素は実施例３でも同様の機能を有する。本実施例の発信者情報入力装置１４−１の例としては、パーソナルコンピュータ又は携帯電話のインターネット接続サービスがある。
【００６２】
実施例３の発信者情報管理提供システム１では、着信者は、発信者情報入力装置１４−１を使用し、発信者番号（Ａ）、着信者番号（Ｂ）、及び、着信者側にある発信者情報表示装置１４−２に表示させたい発信者情報を、発信者情報管理部１２１を経由して発信者情報ＤＢ１２７へ登録することができる。  
【００６３】
発信者情報検索部１２２は、発信者番号受領部１２３から発信者番号（Ａ）及び着信者番号（Ｂ）を受け取り、発信者番号（Ａ）及び着信者番号（Ｂ）を検索キーとして発信者情報ＤＢ１２７から検索結果となる発信者情報を受け取り、発信者情報通知部１２４に送出する。これにより、発信者情報通知部１２４は、表示装置識別子（ｂ）に対応する発信者情報表示装置１４−２に対して、発信者番号（Ａ）及び発信者情報を通知することができる。
【００６４】
図７は、実施例３の発信者情報管理提供システム１における具体的な適用例を示す図である。図７では、発信者情報ＤＢ１２７に格納された情報と発信者情報表示装置１４−２の発信者情報表示部１４１で表示される具体的な例を示した図である。発信者番号が同じであっても、着信者番号に応じて発信者情報表示で表示される発信者情報は異なるようにすることができることが分かる。
【００６５】
実施例３における発信者情報の例としては、着信者番号（Ｂ）に対する発信者情報であり、発信者の氏名、組織名称、所在地、その他着信者が発信者情報表示装置に表示させたい任意の文字列がある。
【００６６】
本実施例では、一例として、発信者と着信者が既知の関係で着信者が電話を受けてもよいという場合、又は電話を受け取りたくない場合であり、発信者情報は、着信に対し応答するか否かを判断するための材料となり得る。
【００６７】
これにより、発信者と着信者が既知の関係であったとしても、着信者は、通販勧誘や悪意の呼に対して通話することなく、着信時の着信者電話機１５に限らず指定する発信者情報表示装置１４−２で、任意の箇所で着信時の発信者情報を把握することができるようになる。
【００６８】
次に、本発明による実施例４の発信者情報管理提供システム１について説明する。
【実施例４】
【００６９】
実施例４の発信者情報管理提供システム１は、実施例１を用いて、発信者となる者の情報を着信者が発信者情報ＤＢ１２７に構築する情報を入力することを可能とした例である。図８に、本発明による実施例４の発信者情報管理提供システム１を示す。図２と同様な構成要素には同一の参照番号を付して説明する。実施例４の発信者情報管理提供システム１は、着信者側で操作する発信者情報入力装置１４−１の代わりに、発信者でも着信者でもない、発信者及び着信者以外の第三者が操作する発信者情報入力装置１６を備える点で相違する。発信者情報入力装置１６は、個別の装置として説明する。尚、実施例４の発信者情報入力装置１６は、実施例１における発信者情報入力装置１４−１と同様の機能を有し、実施例１に対して同一の参照番号を付している各構成要素も実施例４では同様の機能を有する。発信者情報入力装置１６の例としては、パーソナルコンピュータや携帯電話のインターネット接続サービスがある。
【００７０】
実施例４では、発信者でも着信者でもない第三者が発信者情報ＤＢ１２７に発信者番号となるＸと、発信者番号（Ｘ）に対して不特定多数の発信者情報及び第三者情報とを登録可能にする。ここでいう第三者情報とは、発信者情報を入力する第三者がどのような組織に属するものであるかを示すものである。
【００７１】
発信者情報検索部１２２は、発信者番号受領部１２３から発信者番号（Ａ）を受け取り、発信者番号（Ａ）を検索キーとして発信者情報ＤＢ１２７から検索結果となる発信者情報と第三者情報を受け取り、発信者情報通知部１２４へ発信者番号（Ａ）、発信者情報、及び第三者情報を通知する。
【００７２】
発信者情報通知部１２４は、表示装置識別子（ｂ）に対応する発信者情報表示装置１４−２に対して、発信者番号（Ａ）、発信者情報及び第三者情報を通知することができる。
【００７３】
これにより、発信者情報表示装置１４−２の発信者情報表示部１４１は、発信者番号（Ａ）、発信者情報、及び第三者情報を表示することができる。
【００７４】
図９は、実施例４の発信者情報管理提供システム１における具体的な適用例を示す図である。着信者にとって第三者情報は、発信者情報の信憑性を判断する材料となる。
【００７５】
例えば、第三者情報の例は次の通りである。着信者が第三者をどの程度信頼するかによって表示される情報の信頼度が変わる。
（１）ＳＮＳ（Ｓｏｃｉａｌ  Ｎｅｔｗｏｒｋ  Ｓｅｒｖｉｃｅ）でのコミュニティサイトのように、ある事象に対するコメントを記載する形式。
（２）Ｗｅｂサイトの掲示板に記載する形式。
（３）ある組織（企業、役所等）が、リスト化した情報を記載する形式。
【００７６】
これにより、着信者は、より安全に、通販勧誘や悪意の呼に対して通話することなく、着信時の着信者電話機１５に限らず指定する発信者情報表示装置１４−２で、任意の箇所で着信時の発信者情報を把握することができるようになる。
【００７７】
尚、本実施例の発信者情報管理提供装置１２をコンピュータで構成した場合、発信者情報管理部１２１、発信者情報検索部１２２、発信者番号受領部１２３、発信者情報通知部１２４、表示装置識別子検索部１２５及び表示装置識別子管理部１２６の各機能を実現する処理内容を記述したプログラムを、当該コンピュータの内部又は外部の記憶部に格納しておき、当該コンピュータの中央演算処理装置（ＣＰＵ）によってこのプログラムを読み出して実行させることで、発信者情報管理提供装置１２を実現することができる。また、このようなプログラムは、例えばＤＶＤ又はＣＤ−ＲＯＭなどの可搬型記録媒体の販売、譲渡、貸与等により流通させることができるほか、そのようなプログラムを、例えばネットワーク上にあるサーバの記憶部に記憶しておき、ネットワークを介してサーバから他のコンピュータにそのプログラムを転送することにより、流通させることができる。また、そのようなプログラムを実行するコンピュータは、例えば、可搬型記録媒体に記録されたプログラム又はサーバから転送されたプログラムを、一旦、自己の記憶部に記憶することができる。また、このプログラムの別の実施態様として、コンピュータが可搬型記録媒体から直接プログラムを読み取り、そのプログラムに従った処理を実行することとしてもよく、更に、このコンピュータにサーバからプログラムが転送される度に、逐次、受け取ったプログラムに従った処理を実行することとしてもよい。また、発信者情報ＤＢ１２７及び着信者・表示装置連携情報ＤＢ１２８も、発信者情報管理提供装置１２の外部に設けるように構成してもよい。また、実施例２及び実施例３の組合せた態様や、実施例１乃至実施例３に対して、実施例４を組み合わせた態様も実現可能である。従って、本発明は、前述した実施例に限定されるものではなく、その主旨を逸脱しない範囲において種々変更可能である。
【産業上の利用可能性】
【００７８】
本発明によれば、着信者は、通販勧誘や悪意の呼に対して通話することなく、着信時の着信者電話機に限らず指定する発信者情報表示装置で、任意の箇所で着信時の発信者情報を把握することができるようになるので、着信者電話機で着信の応答を行うことなく着信時の発信者情報を把握する用途に有用である。
【符号の説明】
【００７９】
１  発信者情報管理提供システム
１１  発信者電話機
１２  発信者情報管理提供装置
１３  発信者番号通知装置
１４  発信者情報表示装置
１４−１  発信者情報入力装置
１４−２  発信者情報表示装置
１４−３  着信者・表示装置連携情報入力装置
１５  着信者電話機
１２１  発信者情報管理部
１２２  発信者情報検索部
１２３  発信者番号受領部
１２４  発信者情報通知部
１２５  表示装置識別子検索部
１２６  表示装置識別子管理部
１２７  発信者情報ＤＢ
１２８  着信者・表示装置連携情報ＤＢ
【図１】
2011176390.tif 000003
【図２】
2011176390.tif 000004
【図３】
2011176390.tif 000005
【図４】
2011176390.tif 000006
【図５】
2011176390.tif 000007
【図６】
2011176390.tif 000008
【図７】
2011176390.tif 000009
【図８】
2011176390.tif 000010
【図９】
2011176390.tif 000011